(57)【特許請求の範囲】
【請求項１】
パチンコ遊技球を遊技媒体としたスロットマシンにおいて、縦長方形の枠口を開口した枠体と、この枠体の裏側に一体成形され、前記枠口側を開口した収納部を備えた保持枠とが、前後に連接された内外二重枠形態とされた中枠を備え、前記収納部は裏面側が閉鎖されるとともに、前面側からスロット用の表示手段を備えた表示装置としての複数の回転部材、及び電飾表示盤が収納可能に形成されるとともに、前記中枠には前記回転部材及び電飾表示盤と対応する位置に意匠部が施された装飾パネルが装着されており、前記収納部における内底面及び内頂面には、前記回転部材に対する位置決め用のガイド部材がそれぞれ設けられるとともに前記回転部材は前記収納部に対する位置決め用の支持板を備え、さらに、前記装飾パネルの四隅には取付部が形成されるとともに装飾パネルは前記枠口と略同一の大きさに形成されており、前記収納部の前面側から前記回転部材を収納しつつ前記ガイド部材のガイド溝に前記支持板を挿着して複数の回転部材を並設した状態で位置決め固定し、前記枠口の前面側から前記装飾パネルを前記枠口を密閉するように取付けるとともに前記取付部によって前記装飾パネルを前記中枠に位置決めしつつ組付け、前記装飾パネルと対応する窓口を備えた前枠にて前記中枠の前面側を閉鎖セットしたスロットマシン。
【請求項２】
前記収納部における内側面には、前記電飾表示盤に対する位置決め用の係止ピンが設けられるとともに、前記電飾表示盤の側面には前記収納部に対する位置決め用の切欠溝が切欠形成されている請求項１に記載のスロットマシン。
【請求項３】
前記枠口の側縁には、前記装飾パネルに対する位置決め用の突部が配設されるとともに、前記装飾パネルの側部には、前記中枠の枠口に対する位置決め用の凹部が形成されている請求項１又は請求項２に記載のスロットマシン。
【発明の詳細な説明】
【０００１】
【発明の属する技術分野】
本発明は、パチンコ遊技球を遊技媒体としたスロットマシンに関するものである。
【０００２】
【従来の技術】
従来、この種のスロットマシンとしては、例えば、特開２０００−７０４３６号公報に記載のスロットマシンが知られている。即ち、このスロットマシンでは、外枠の開口前面に中枠が開閉及び着脱可能に取付けられ、その中枠に対して複数の図柄を表示可能な回転部材、前枠（ガラス窓ともいう）、球皿、裏側の機構セット盤等の多くの遊技用構成部材が設置されている。
【０００３】
このスロットマシンでは、ガラス窓を有する前枠が中枠の前面側にヒンジ等にて開閉可能に装着されており、複数の図柄が表示されたドラム型の回転部材等が中枠の裏面側から装着されている。また、中枠の裏面側には機構セット盤が装着され、ロックレバーで固定されている。一方、前枠のガラス窓には、スロット用意匠が印刷されたシールが貼付されている。前記シールには、回転部材等を視認可能とするための透視窓や遊技の装飾効果を高めるための所定の意匠が施されている。
【０００４】
【発明が解決しようとする課題】
ところで、上記のように構成されたスロットマシンにおいて、前記回転部材を交換する場合、中枠の裏面側から機構セット盤を取り外し回転部材を交換するようになっている。このとき、透視窓等のスロット用意匠は、前枠に備えられていたため、交換時において、前枠のスロット用意匠と中枠に設けられた回転部材の図柄との対応位置がずれることが頻繁に起きる。また、前枠の開閉動作を何度も行った際も同様なことが発生するおそれがある。この結果、回転部材の交換の際等に図柄と前枠のスロット用意匠とを整合させるのに非常に手間が掛かるという問題があった。
【０００５】
その一方で、このような交換時における回転部材の図柄と前枠のスロット用意匠との位置ズレを防止するために、前記回転部材に代表されるスロット用の各種表示手段をスロット用意匠と共に前枠に設けることが考えられる。しかしながら、そのようにした場合には、前記各種表示手段に付随した様々な部材をも併せて前枠に搭載することになり、前枠を開閉可能に支持するヒンジは重量に耐えきれるものを使用しなくてはならない。このため、従来よりも高価なヒンジを用いなければならないという問題が生じてしまう。
【０００６】
本発明は上記問題点を解決するためになされたものであり、その目的は、前記回転部材とスロット用意匠、即ち、表示装置の表示手段と装飾パネルの意匠部との位置ズレを安価に防止できるスロットマシンを提供することにある。また、その他の目的は、工場での組立を簡便に行うことができるスロットマシンを提供することにある。
【０００７】
【課題を解決するための手段】
上記問題点を解決するために、請求項１に記載の発明は、パチンコ遊技球を遊技媒体としたスロットマシンにおいて、縦長方形の枠口を開口した枠体と、この枠体の裏側に一体成形され、前記枠口側を開口した収納部を備えた保持枠とが、前後に連接された内外二重枠形態とされた中枠を備え、前記収納部は裏面側が閉鎖されるとともに、前面側からスロット用の表示手段を備えた表示装置としての複数の回転部材、及び電飾表示盤が収納可能に形成されるとともに、前記中枠には前記回転部材及び電飾表示盤と対応する位置に意匠部が施された装飾パネルが装着されており、前記収納部における内底面及び内頂面には、前記回転部材に対する位置決め用のガイド部材がそれぞれ設けられるとともに前記回転部材は前記収納部に対する位置決め用の支持板を備え、さらに、前記装飾パネルの四隅には取付部が形成されるとともに装飾パネルは前記枠口と略同一の大きさに形成されており、前記収納部の前面側から前記回転部材を収納しつつ前記ガイド部材のガイド溝に前記支持板を挿着して複数の回転部材を並設した状態で位置決め固定し、前記枠口の前面側から前記装飾パネルを前記枠口を密閉するように取付けるとともに前記取付部によって前記装飾パネルを前記中枠に位置決めしつつ組付け、前記装飾パネルと対応する窓口を備えた前枠にて前記中枠の前面側を閉鎖セットしたことを要旨とする。
【０００８】
請求項２に記載の発明は、請求項１に記載のスロットマシンにおいて、前記収納部における内側面には、前記電飾表示盤に対する位置決め用の係止ピンが設けられるとともに、前記電飾表示盤の側面には前記収納部に対する位置決め用の切欠溝が切欠形成されていることを要旨とする。
【０００９】
請求項３に記載の発明は、請求項１又は請求項２に記載のスロットマシンにおいて、前記枠口の側縁には、前記装飾パネルに対する位置決め用の突部が配設されるとともに、前記装飾パネルの側部には、前記中枠の枠口に対する位置決め用の凹部が形成されていることを要旨とする。
【００１２】
【発明の実施の形態】
以下、本発明を具体化した一実施形態を図１〜図７に従って説明する。
本実施形態のスロットマシンは、その基本的構成の概要として、図１及び図２に略示するように、機体の外郭をなす縦長方形の外枠１１の開口前面側に、各種の遊技用構成部材をセットする縦長方形の中枠１２が開閉及び着脱可能に組付けられている。そして、この中枠１２の前面側に、スロットマシン遊技の当たり等を表示する表示手段（ベルト式回転部材５１、電飾表示盤５２、装飾パネル５３等）の透視保護窓である前枠１４が開閉連結支持手段４１等を利用して横開き形態で開閉可能に組み付け整合されている。一方、中枠１２の下部には、賞球及び貸し球が払い出されると共にパチンコ遊技球（以下、単に「遊技球」という。）を機内に取込むための取込皿１５、遊技球を貯留するための貯留皿１６等を備えた球皿ユニット１７が装着セットされている。また中枠１２の裏側には各種の球経路及び球処理・払出部等を備えた機構セット盤１８がセットされている。
【００１３】
機構セット盤１８の略中央部には中枠１２の収納部３３の大きさと対応する設置口１９が形成されている。一方、前記設置口１９の側方（図２において右方）には、球タンク２０から整流樋２１を介して貯留球が流下供給される供給経路部２２が設けられている。そして、同供給経路部２２の下流端には球払出し装置２３が着脱可能にビス等で取着セットされている。また、前記機構セット盤１８には、スロットマシンの遊技内容を統括して制御する主制御基板２４を始めとして各種制御基板が配置されている。
【００１４】
本実施形態のスロットマシンの搭載枠とされる中枠１２は、図３及び図４に示すように外枠１１の開口前面域に適合する方形サイズに形成されている。そして、正面縦長方形の枠口３１を開口した枠体３２と、この枠体３２の裏側に一体成形され、前記枠口３１側を開口した収納部３３を備えた保持枠３４とが、前後に連接された内外二重枠形態とされている。前記収納部３３は、枠口３１の正面内部に臨み、その裏面側が閉鎖された形態とされている。また、収納部３３は、３つの回転部材５１及び電飾表示盤５２を収納可能としており、その開口部３３ａの大きさは枠口３１の大きさよりも小さく形成されている。なお、図示はしないが、収納部３３の裏面側には、前記回転部材５１や電飾表示盤５２等のコネクタと機構セット盤１８上における各種制御基板等のコネクタとを接続する配線ケーブルの通過を許容する通過孔が設けられている。
【００１５】
そして、中枠１２において前記枠口３１及び収納部３３は、前面側から出し入れ（着脱）される回転部材５１、電飾表示盤５２、装飾パネル５３のセット面域及び出入れ口ともされている。一方、前記枠口３１の前面周囲には前枠１４が装着可能とされている。
【００１６】
前記収納部３３における内底面及び内頂面には、回転部材５１に対する位置決め用のガイド部材５７がそれぞれ設けられている。内底面及び内頂面における各ガイド部材５７は互いに対応配置されており、等間隔にて各３個ずつ設けられている。各ガイド部材５７は断面コ字状に形成され、奥行き方向（前後方向）に延びるガイド溝５８を備えている。
【００１７】
前記収納部３３における内側面には、電飾表示盤５２に対する位置決め用の係止ピン５９が複数設けられている。前記係止ピン５９は、ガイド部材５７の開口側端部（前端部）よりも開口側（前面側）に位置するように設けられている。また、前記枠口３１の側縁には、装飾パネル５３に対する位置決め用の突部３５が複数箇所配設されている。
【００１８】
一方、前記枠体３２においては、枠口３１の下部に球皿ユニット１７を設置するための設置盤３６が成形されている。そして、賞球用の供給口３７，３８及び遊技球を機構セット盤１８側に取込むための取込口３９が開口されている。尚、前記供給口３７及び取込口３９は取込皿１５に対応しており、供給口３８は貯留皿１６に対応している。また、前記中枠１２の側縁部（図１において右側）には施錠装置４０が設けられている。
【００１９】
本実施形態においては、前記枠口３１と収納部３３にて装着部が構成され、中枠１２により機本体が構成されている。
次に、前枠１４について説明する。
【００２０】
前枠１４は、同前枠１４と中枠１２の双方における正面左側縁の上下部に各々対応するように設けられた開閉連結支持手段４１と、同じくその正面右側縁に設けられた施錠装置４０を利用して、前記中枠１２に対して開閉及び着脱が可能に組付けセットされている。前枠１４は方形箱蓋状に形成されており、その略中央部には窓口４２が形成されている。前記窓口４２は装飾パネル５３の意匠部７４（後述）に適した広さに形成されており、窓口４２には、透明板である板ガラス４３がセットされている。前記窓口４２の上部には、賞球の払出し表示をなすための賞球報知ランプ４４が設けられており、窓口４２の下部には、前枠１４の前面側に膨出した膨出部４５が一体成形されている。
【００２１】
前記膨出部４５における上面側には、スロットマシン遊技を開始するスタートボタン４６と機内に取込む遊技球の数を設定するベットボタン４７が並設されている。このベットボタン４７を繰返し押すことによって、遊技者は賭率５個、１０個、１５個とその賭率を選択できるようになっている。なお、この賭率５個、１０個、１５個は、ベットボタン４７を押す毎に機構セット盤１８側に取込まれる遊技球の数である。そして、その賭率に応じて、後述するランプ６９が点灯する。一方、前記膨出部４５における前面側には、ベルト式回転部材５１の回転を停止させるためのストップボタン４８が一列状態で３個設けられている。
【００２２】
次に、中枠１２の枠口３１及び収納部３３に取付けられている表示装置及び図柄表示手段としてのベルト式回転部材（以下、単に「回転部材」という。）５１、表示装置及び電飾表示手段としての電飾表示盤５２、装飾パネル５３について説明する。
【００２３】
図４に示すように、前記回転部材５１は、収納部３３に対する位置決め用の支持板６３、駆動プーリ６４、複数の従動プーリ６５及び図柄ベルト６６等を備えている。詳しく述べると、前記支持板６３には、駆動プーリ６４及び従動プーリ６５が回動可能に取付けられている。そして、それらのプーリ６４，６５に遊技に関する数種類の図柄や、記号等が表記された無端状の図柄ベルト６６が巻装されている。前記図柄ベルト６６は、図示しないステッピングモータの駆動により、駆動プーリ６４を介して回転動作が行われる。
【００２４】
そして、前記収納部３３におけるガイド部材５７のガイド溝５８に、支持板６３が挿着され、回転部材５１は、図５に示すように、３個並設された状態で位置決め固定されている。なお、前記回転部材５１の支持板６３は、収納部３３のガイド部材５７に対して、さらに、ボルト及びナット又はネジ等を用いて固定してもよい。
【００２５】
前記電飾表示盤５２は、図４に示すように、その略中央部に図柄表示口６８を備えている。この図柄表示口６８は、電飾表示盤５２の収納部３３への組付け時において回転部材５１の図柄の表示に適した広さに形成されている。
【００２６】
前記図柄表示口６８の周縁には、所定の表示動作を行うランプ６９，７０及び数値表示部７１等が配設されている。前記各ランプ６９，７０は、ＬＥＤと同ＬＥＤを実装したランプ基板から構成されている。ランプ６９は、ベット数を表示するためのランプであり、遊技者に選択された賭率に応じて、所定のランプ６９が点灯されるようになっている。また、ランプ７０は前枠１４に備えられているストップボタン４８が押されたことを報知するためのランプである。前記数値表示部７１は、７セグメントＬＥＤとそのランプ基板とから構成され、機内での遊技球の貯留数に関するクレジット数や、賞球の払出し個数等の数値をデジタル表示する。
【００２７】
一方、電飾表示盤５２の側面には、収納部３３に対する位置決め用の複数の切欠溝７２が裏面側から前面側に向かって切欠形成されている。前記切欠溝７２は、収納部３３の係止ピン５９に対応している。また、電飾表示盤５２における上面及び下面の各隅部には貫通孔６２ａを有する突片６２がそれぞれ設けられている。そして、電飾表示盤５２は、収納部３３において前記係止ピン５９と切欠溝７２とが係合した状態で位置決めされ、突片６２を介してネジ８２が前面側から挿着されることにより図６に示すように固定されている。
【００２８】
装飾パネル５３は、中枠１２の枠口３１と略同一の大きさに形成された板体であり、意匠部７４を備えている。前記意匠部７４には、図１及び図４に示すように、前記回転部材５１の図柄を視認するための透視窓７５、遊技者が選択した賭率に応じた有効ラインを表示するための有効ライン表示部７６、電飾表示盤５２の数値表示部７１を視認するための表示窓７７、停止表示が表記された停止表示部７８等が施されている。尚、意匠部７４における、各窓７５，７７及び表示部７６，７８は、前面側から回転部材５１の図柄や、電飾表示盤５２におけるＬＥＤの光等が視認し易いように、透明若しくは半透明にされている。
【００２９】
前記透視窓７５は、電飾表示盤５２の図柄表示口６８に対応しているとともに、回転部材５１の各図柄に対応している。また、前記有効ライン表示部７６は、電飾表示盤５２におけるランプ６９に対応しており、停止表示部７８はランプ７０に対応している。また、表示窓７７は電飾表示盤５２の数値表示部７１に対応している。
【００３０】
装飾パネル５３の側部には、中枠１２の枠口３１に対する位置決め用の凹部８０が形成されている。前記凹部８０は、枠口３１の突部３５に対応するように形成されている。また、装飾パネル５３の四隅には、同装飾パネル５３を中枠１２に組み付けるための取付部７９が形成されている。前記取付部７９は、装飾パネル５３における他の部位の板厚よりも薄肉状に形成されている。そして、装飾パネル５３は、セット面域とされる枠口３１において前記突部３５と凹部８０とが係合した状態で位置決めされ、取付部７９を介して前記枠口３１の後面に設けられたボス部８４にネジ８３が挿着されることにより、図７に示すように中枠１２の枠口３１に固定されている。
【００３１】
なお、前記装飾パネル５３の組付け状態において、収納部３３の開口部３３ａは、装飾パネル５３にて密閉されている。また、本実施形態では、前記ガイド部材５７、支持板６３、係止ピン５９、切欠溝７２、突部３５、凹部８０により位置決め手段が構成されている。
【００３２】
次に、上記のように構成されたスロットマシンの作用を説明する。
まず、工場等でパネルユニット１３が組み立てられる場合について説明すると、図４に示すように、工場等では最初に、中枠１２の収納部３３に対してその前面側から回転部材５１を位置決め収納する。即ち、収納部３３におけるガイド部材５７のガイド溝５８に、回転部材５１の支持板６３を摺動させ図５に示すように位置決め固定する。次に、前記収納部３３に対してその前面側から電飾表示盤５２を図６に示すように組付ける。即ち、収納部３３における係止ピン５９に電飾表示盤５２の切欠溝７２を相対的に摺動させ、前記切欠溝７２の端部に係止ピン５９を係止させる。このように、電飾表示盤５２を収納部３３に対して位置決めをし、突片６２を介して中枠１２へネジ８２を挿着する。
【００３３】
次いで、中枠１２の枠口３１に対してその前面側から装飾パネル５３を、図７に示すように組付ける。即ち、装飾パネル５３の凹部８０を枠口３１の突部３５に係合させることで位置決めを行い、装飾パネル５３の取付部７９を介して、ネジ８３を中枠１２側のボス部８４に挿着する。その後に、開閉連結支持手段４１を介して前枠１４を回動させ、施錠装置４０を用いて閉鎖セットする。このようにして、回転部材５１、電飾表示盤５２、装飾パネル５３の取着セットは行われる。
【００３４】
このとき、透視窓７５等のスロット用の意匠である意匠部７４が施された装飾パネル５３は、回転部材５１及び電飾表示盤５２とともに中枠１２側に組付けられる。そして、中枠１２の枠口３１及び収納部３３に回転部材５１、電飾表示盤５２、装飾パネル５３を位置決め固定することにより、前記各部材５１〜５３における図柄及びランプ等と、意匠部７４とは互いに位置決め整合された状態となる。このため、前枠１４の板ガラス４３に意匠部７４が配設される従来と異なり、前枠１４の開閉動作が繰り返し行われても、回転部材５１や電飾表示盤５２の図柄やランプ６９，７０等が装飾パネル５３の透視窓７５や有効ライン表示部７６等の意匠に対して位置ズレすることはない。また、装飾パネル５３と回転部材５１及び電飾表示盤５２は、互いに位置決め整合されて固定されるため、工場等での組立段階でも、位置ズレを起こすことなく対応した位置の調節は容易に行われる。
【００３５】
また、前記中枠１２の収納部３３は装飾パネル５３にて密閉されているため、遊技場等において、その内部、即ち、回転部材５１や電飾表示盤５２に対して、埃等の侵入は防止される。
【００３６】
一方、例えば、回転部材５１又は電飾表示盤５２に何らかのトラブルが発生した場合は、前枠１４を開放し、中枠１２の前面側から、各ネジ８２，８３を外して、回転部材５１、電飾表示盤５２、装飾パネル５３を交換する。
【００３７】
従って、上記実施形態によれば、以下のような効果を得ることができる。
（１）上記実施形態では、透視窓７５や有効ライン表示部７６等のスロット用の意匠（意匠部７４）が施された装飾パネル５３は、遊技に関する図柄やランプ６９，７０等を備える回転部材５１及び電飾表示盤５２とともに中枠１２に組み付けられる。従って、前枠１４に意匠が施される従来と異なり、度重なる前枠１４の開閉動作の際等に、意匠部７４と図柄、ランプ６９，７０等との間で位置ズレが発生することはない。
【００３８】
また、前枠１４に装飾パネル５３と、回転部材５１及び電飾表示盤５２とを共に前枠１４に取付けて、スロット用の意匠と遊技に関する図柄やランプ６９，７０等の位置ズレを防止する場合と異なり、前枠１４の総重量が加重されることなく、安価な開閉連結支持手段４１にて前枠１４の支持を行うことができる。
【００３９】
（２）上記実施形態では、中枠１２に設けられた収納部３３及び枠口３１に対して、前面側から回転部材５１，電飾表示盤５２，装飾パネル５３を順次、位置決めを行い組み付ける。このため、流れ作業を行う工場での組立作業時において、例えば、回転部材５１，電飾表示盤５２，装飾パネル５３をユニット化して、中枠１２に組付ける場合と比較して、その作業工程を減らすことができ、簡便に作業を行うことができる。
【００４０】
（３）上記実施形態では、回転部材５１、電飾表示盤５２、装飾パネル５３は、中枠１２に対して、それぞれ互いに対応する位置決め手段としての支持板６３とガイド部材５７、切欠溝７２と係止ピン５９、及び突部３５と凹部８０を利用して位置決めされた上で、固定される。従って、工場での組立段階や、回転部材５１や電飾表示盤５２の交換時においても、回転部材５１、電飾表示盤５２の図柄やランプ６９，７０と、装飾パネル５３の意匠部７４との位置ズレは発生せず、簡便に位置合わせして組み付けることができる。
【００４１】
（４）上記実施形態では、回転部材５１，電飾表示盤５２，装飾パネル５３は中枠１２の前面側から着脱が行われるため、例えば、裏面側から組付ける場合と異なり、いちいち機構セット盤１８を取り外したりする必要がなく、回転部材５１，電飾表示盤５２，装飾パネル５３の交換作業を簡便にできる。
【００４２】
（５）上記実施形態では、収納部３３に回転部材５１と電飾表示盤５２を収納し、装飾パネル５３にてその開口部３３ａを密閉しているため、回転部材５１と電飾表示盤５２に埃等が侵入することを防止できる。
【００４３】
また、本実施形態では、回転部材５１はベルト式のものを用いており、同ベルト式の回転部材５１は特に埃等に弱いため、装飾パネル５３による密閉は効果的に実現される。
【００４４】
（６）上記実施形態では、回転部材５１はベルト式の装置を用いているため、ドラム型の回転部材を用いる場合と異なり、スロットマシン全体の奥行き方向のスペースを減少させることができると共に、パネルユニット１３を持ち運ぶ場合等でも嵩張らず、交換作業を容易にできる。また、ベルト式の回転部材５１を用いることで、ドラム型の回転部材と比較して多くの図柄を使用できる。
【００４５】
なお、上記実施形態は以下のような別例に変更して具体化してもよい。
・上記実施形態では、回転部材５１には、プーリ６４，６５にて図柄ベルト６６を回転させるベルト式のものを用いたが、ドラム型の回転部材を用いてもよい。
【００４６】
・上記実施形態では、収納部３３に対して、回転部材５１、電飾表示盤５２、装飾パネル５３はそれぞれ位置決め用の各部材３５、５７，５９，６３，７２，８０を用いて、互いに位置決めをしネジ８２，８３等で固定したが、前記位置決め用の各部材３５、５７，５９，７２，８０を利用せずにネジ８２，８３等のみを用いて位置決め固定してもよい。
【００４７】
・上記実施形態では、収納部３３の裏面側は閉鎖された形態とされていたが収納部３３を前後に開口した形態にしてもよい。このようにすれば、装飾パネル５３等を中枠１２から取外すことなく、回転部材５１を機裏側から確認することができる。
【００４８】
・上記実施形態において、装飾パネル５３の意匠部７４を構成する表示窓７７と、電飾表示盤５２のクレジット数や払出し個数等を表示する数値表示部７１を前枠１４側に設けてもよい。このようにしても、クレジット数や、払出し個数等の表示窓７７は、例えば、意匠の変更により、装飾パネル５３を交換する場合に、共通で使用できるため、装飾パネル５３に施されていなくても問題はない。
【００４９】
・上記実施形態では、電飾表示盤５２、装飾パネル５３の中枠１２への取付けはネジ８２，８３が中枠１２に挿着されることにより行われたが、従来のパチンコ機において、遊技盤の取着時に用いられていた回動式の施錠具（特願平３−１５７８７５号参照）を用いてセットしてもよい。このようにしても、本実施形態におけるスロットマシンの構成は、回転部材５１、電飾表示盤５２、装飾パネル５３を除いてパチンコ機と余り相違がないため、簡便に使用できる。
【００５０】
・上記実施形態では、前枠１４の窓口４２には板ガラス４３が設けられていたが、同板ガラス４３を備えない構成にしてもよい。このようにしても、従来と異なり、前枠１４の板ガラス４３にはスロット用の意匠部を施さないため問題はない。また、このように板ガラス４３を設けない構成にした場合は、板ガラス４３を支持するためのガラス扉を前枠１４の裏面側に設ける必要もなくなり、部品コストの低減を図ることができる。
【００５１】
・上記実施形態では、前枠１４は開閉連結支持手段４１と施錠装置４０とを利用して、中枠１２に対して、開閉可能にセットされる形態であったが、前記開閉連結支持手段４１と施錠装置４０とを設けずに、前枠１４を中枠１２に固着する形態をとってもよい。このようにした場合、回転部材５１等に不具合が発生した際は、中枠１２ごと外枠１１から外して交換作業を行う。この結果、前枠１４が開閉可能な構成の場合と比較して、同前枠１４が故意に開けられたり、前枠１４と中枠１２の隙間等で行われる不正行為を防止できる。即ち、本発明に係る上記実施形態では、回転部材５１、電飾表示盤５２、装飾パネル５３を個別に中枠１２に組み付けているため、遊技店内での作業よりも工場等での作業に適しており、この特性を利用したものである。
【００５２】
次に、上記実施形態及び各別例から把握できる請求項に記載した発明以外の技術的思想について、それらの効果と共に以下に記載する。
（１）前記図柄表示手段は、複数の図柄が描かれた無端状のベルトと、前記ベルトを回転させるためのプーリを備え、図柄表示手段は、ベルトの回転により図柄を変動させるスロットマシン。このようにすれば、機本体に対する奥行き方向のスペースを減少させ、交換作業が容易になる。
【００５３】
【発明の効果】
以上詳述したように、請求項１の発明によれば、表示装置の表示手段と装飾パネルの意匠部との位置ズレを安価に防止できるとともに、工場での組立を簡便に行うことができる。
【００５４】
また、機本体の裏面側から装着する場合と異なり、機裏側に備えられる装置をいちいち取り外す必要がない。
【００５５】
さらに、表示装置を挿着した挿着部の開口部は装飾パネルにて密閉されているため、表示装置内に埃等が侵入することを防止できる。
【００５６】
加えて、スロット遊技に関して、位置の整合の必要がある図柄表示手段及び電飾表示手段と、装飾パネルの前記意匠部との間での位置ズレを確実に防止できる。
【００５７】
また、装着部と表示装置との間、及び前記装着部と装飾パネルとの間に設けられた位置決め手段を用いることで、表示手段と意匠部の位置ズレをより効果的に防止できる。
【図面の簡単な説明】
【図１】本実施形態におけるスロットマシンを示す正面図。
【図２】同じくスロットマシンを示す背面図。
【図３】同じく前枠を開放した状態を示す正面図。
【図４】同じく中枠、表示装置、装飾パネルを示す分解斜視図。
【図５】同じく中枠と回転部材の組み付け状態を示す斜視図。
【図６】同じく中枠と電飾表示盤の組み付け状態を示す斜視図。
【図７】同じく中枠と装飾パネルの組み付け状態を示す斜視図。
【符号の説明】
１２…中枠（機本体）、１４…前枠、３１…枠口（装着部）、３３…収納部（装着部）、３３ａ…開口部、３５…突部（位置決め手段）、４２…窓口、５１…ベルト式回転部材（表示装置、図柄表示手段）、５２…電飾表示盤（表示装置、電飾表示手段）、５３…装飾パネル、５７…ガイド部材（位置決め手段）、５９…係止ピン（位置決め手段）、６３…支持板（位置決め手段）、７２…切欠溝（位置決め手段）、７４…意匠部、８０…凹部（位置決め手段）。
【図１】
0004326681.tif 000002
【図２】
0004326681.tif 000003
【図３】
0004326681.tif 000004
【図４】
0004326681.tif 000005
【図５】
0004326681.tif 000006
【図６】
0004326681.tif 000007
【図７】
0004326681.tif 000008